(57)【特許請求の範囲】
【請求項１】
伝送方式が異なる複数のデータ・ストリームと、前記データ・ストリームの伝送方式および構成配置を示すデータ構成制御信号と、前記データ構成制御信号の更新を指示する更新指示情報と、が多重化されたディジタル信号を受信し、前記更新指示情報に基づいて前記データ構成制御信号を更新し、前記更新されたデータ構成制御信号を用いて、前記データ・ストリームの復号をおこなう受信装置において、
前記ディジタル信号の同期を検出し、同期状態を示す同期検出信号を出力する同期検出手段と、
前記データ構成制御信号の復号の完了状態を示す復号完了信号を出力する復号完了信号出力手段と、
前記同期検出手段により出力された同期検出信号が入力されている状態において、前記同期検出信号が入力された後、最初に前記復号完了信号出力手段により出力された復号完了信号が入力されたとき、前記データ構成制御信号を更新するデータ構成制御信号更新手段と、
を備えることを特徴とする受信装置。
【請求項２】
前記データ構成制御信号更新手段は、
前記同期検出手段により出力された同期検出信号が入力されることにより同期検出パルスを出力するパルス出力手段と、
前記パルス出力手段により出力された同期検出パルスが入力されることにより同期状態を保持し、前記復号完了信号出力手段により出力された復号完了信号が入力されることにより前記同期状態を解除する同期状態保持手段と、を備え、
前記同期検出手段により出力された同期検出信号が入力されている状態において、前記同期状態保持手段により前記同期状態が保持され、かつ、前記復号完了信号出力手段により出力された復号完了信号が入力されたとき、前記データ構成制御信号を更新することを特徴とする請求項１に記載の受信装置。
【請求項３】
伝送方式が異なる複数のデータ・ストリームと、前記データ・ストリームの伝送方式および構成配置を示すデータ構成制御信号と、前記データ構成制御信号の更新を指示する更新指示情報と、が多重化されたディジタル信号を受信し、前記更新指示情報に基づいて前記データ構成制御信号を更新し、前記更新されたデータ構成制御信号を用いて、前記データ・ストリームの復号をおこなう受信装置において、
前記ディジタル信号の同期を検出し、同期状態を示す同期検出信号を出力する同期検出手段と、
前記データ構成制御信号を復号して復号完了信号を出力する復号完了信号出力手段と、
前記更新指示情報を記憶する更新指示情報記憶手段と、
前記更新指示情報記憶手段に記憶されている更新指示情報と新たに受信された更新指示情報との不一致を検出し、不一致状態を示す不一致検出信号を出力する不一致検出手段と、
前記同期検出手段により出力された同期検出信号が入力されている状態において、前記不一致検出手段により出力された不一致検出信号が入力され、かつ、前記復号完了信号出力手段により出力された復号完了信号が入力されたとき、前記データ構成制御信号を更新するデータ構成制御信号更新手段と、
を備えることを特徴とする受信装置。
【請求項４】
前記同期検出手段は、
前記データ・ストリームと前記データ構成制御信号とが識別された状態を示す識別状態信号を前記同期検出信号として出力することを特徴とする請求項１〜３のいずれか一つに記載の受信装置。
【請求項５】
前記同期検出手段は、
ディジタル変調された前記ディジタル信号が復調された状態を示す復調状態信号を前記同期検出信号として出力することを特徴とする請求項１〜３のいずれか一つに記載の受信装置。
【請求項６】
前記同期検出手段は、
ディジタル位相変調された前記ディジタル信号が位相復調された状態を示す位相復調状態信号を前記同期検出信号として出力することを特徴とする請求項１〜３のいずれか一つに記載の受信装置。
【請求項７】
前記同期検出手段は、
さらに、前記データ・ストリームと前記データ構成制御信号とが識別された状態を示す識別状態信号と、ディジタル変調された前記ディジタル信号が復調された状態を示す復調状態信号との一方の信号を選択可能とし、選択された信号を同期検出信号として出力する選択手段を備えたことを特徴とする請求項１〜３のいずれか一つに記載の受信装置。
【請求項８】
前記同期検出手段は、
さらに、前記データ・ストリームと前記データ構成制御信号とが識別された状態を示す識別状態信号と、ディジタル位相変調された前記ディジタル信号が位相復調された状態を示す位相復調状態信号との一方の信号を選択可能とし、選択された信号を同期検出信号として出力する選択手段を備えたことを特徴とする請求項１〜３のいずれか一つに記載の受信装置。
【請求項９】
伝送方式が異なる複数のデータ・ストリームと、前記データ・ストリームの伝送方式および構成配置を示すデータ構成制御信号と、前記データ構成制御信号の更新を指示する更新指示情報と、が多重化されたディジタル信号を受信し、前記更新指示情報に基づいて前記データ構成制御信号を更新し、前記更新されたデータ構成制御信号を用いて、前記データ・ストリームの復号をおこなう受信方法において、
前記ディジタル信号の同期が検出された後、最初に前記データ構成制御信号の復号が完了したとき、前記データ構成制御信号を更新することを特徴とする受信方法。
【請求項１０】
伝送方式が異なる複数のデータ・ストリームと、前記データ・ストリームの伝送方式および構成配置を示すデータ構成制御信号と、前記データ構成制御信号の更新を指示する更新指示情報と、が多重化されたディジタル信号を受信し、前記更新指示情報に基づいて前記データ構成制御信号を更新し、前記更新されたデータ構成制御信号を用いて、前記データ・ストリームの復号をおこなう受信方法において、
前記更新指示情報を記憶し、
前記ディジタル信号の同期が検出され、かつ、記憶された前記更新指示情報と新たに受信された更新指示情報との不一致が検出された状態において、前記データ構成制御信号の復号が完了したとき、前記データ構成制御信号を更新することを特徴とする受信方法。
【発明の詳細な説明】
【０００１】
【発明の属する技術分野】
本発明は、ディジタル変調されたディジタル信号を受信する受信装置および受信方法に関し、特に、実データとその伝送方式を示す情報が多重化されたディジタル信号を受信し、その伝送方式を解読しつつ実データを復号する受信装置および受信方法に関するものである。
【０００２】
【従来の技術】
近年、ディジタル・データの高速処理を可能とする集積回路および符号化技術の発展経緯から、アナログ方式により培われてきた技術がディジタル方式に取って代わろうとしている。特に、通信分野においての成長は著しく、テレビジョン放送や衛星放送等のサービスがディジタル放送に移行しつつある段階にある。
【０００３】
ディジタル放送は、映像、音声等のサービス情報を示す信号に対してディジタル処理を施し、その結果作成されるディジタル・データを伝送する放送である。そのうち、ディジタル衛星放送は、伝送する情報の内容を示すディジタル・データを用いて搬送波を変調（ディジタル変調）し、その結果得られた信号を、衛星を介して送信し、各家庭等に設置された受信装置によって直接に受信するという形態をとる。
【０００４】
ディジタル変調された信号を有線通信によって伝送する場合には、その伝送路の品質、伝送距離および伝送路周囲の雑音環境によって正確な受信が困難となる場合を生じることがあるが、テレビジョン放送のように、変調された信号を無線通信によって伝送する場合には、搬送波として電波（搬送波）を利用しているために、特に、気象その他の影響により伝送空間の伝送路としての品質が低下し、受信状態が悪化する場合がある。
【０００５】
したがって、無線通信においては、アナログ方式／ディジタル方式を問わずに、複数の通信路を構成するために無線周波数帯を狭い周波数帯域に分割して、それぞれの帯域を一つの通信路として利用するとともに、信号の送受信において再現性の高い変調／復調処理をおこなう必要がある。
【０００６】
上述したディジタル衛星放送のように、ディジタル変調された信号の無線通信においては、さらに、ディジタル・データを構成するビット単位での高い再現性が望まれるため、通常、ディジタル変調されるディジタル・データは、送信される際冗長性を持たせるため、実データに冗長性を付加した符号化がおこなわれる。ここでは、符号化のおこなわれた実データを符号化して得られるディジタル・データを、特にデータ・ストリームと定義して説明する。
【０００７】
また、ディジタル・データは、冗長度を高くすると誤り訂正能力が向上する。すなわち、冗長度の高いデータ・ストリームは、受信時において誤りビットを多く含んでいても、その訂正を可能とし、送信時のデータ・ストリームを正しく再現することができる。一方、このような冗長度の高いデータ・ストリームは、実データ以外に冗長性を付加しているので、データ量が増加するため、伝送効率が低下するといった問題を含んでいる。
【０００８】
例えば、映像や音声等の情報が、多少の誤りを含んだデータ・ストリームとして伝送された場合は、受信時においてデータ・ストリームが若干乱れていても情報を容認できるので、冗長度を比較的低くし、伝送効率を上げて多くの情報を伝送することができる。また、一般に１ビットの誤りも許されないコンピュータプログラム等を表したデータ・ストリームは、冗長度を比較的高くし、受信時における情報の確実な復元が要求される。
【０００９】
このように実データに冗長性を付加したディジタル・データであっても、受信時においては単なるビットの羅列としてしか認識されず、データ・ストリームに含まれる冗長度を抽出することができない。そこで、送信時において、多重化されたデータ・ストリームのどの部分がどういった冗長度を有するのかを示した情報（データ構成制御信号）を、データ・ストリームにさらに多重化して送信する。
【００１０】
このデータ構成制御信号は、一般に、ＴＭＣＣ（Ｔｒａｎｓｍｉｓｓｉｏｎ＆Ｍｕｌｔｉｐｌｅｘｉｎｇ  Ｃｏｎｆｉｇｕｒａｔｉｏｎ  Ｃｏｎｔｒｏｌ）信号と呼ばれ、以下の説明においても、このＴＭＣＣ信号を用いる。
【００１１】
このようなデータ・ストリームとＴＭＣＣ信号とが多重化されたディジタル信号を受信する受信装置においては、ＴＭＣＣ信号の示す情報に基づいて、データ・ストリームの冗長度を認識し、このデータ・ストリームからの実データの抽出と訂正をおこなう復号処理を実行するため、ＴＭＣＣ信号の確実な受信が必須となる。このＴＭＣＣ信号に与えられる冗長度は、比較的高く設定され、かつ受信装置においてあらかじめ取得されることで、ＴＭＣＣ信号の認識が確実なものとなる。
【００１２】
図６は、従来の送信装置の概略構成を示すブロック図である。図６は、特にディジタル衛星放送の送信装置の一例を示している。図６において、送信装置は、入力信号ＴＳ１、ＴＳ２．．．（以下、入力信号ＴＳと称する）を符号化するための、外符号誤り制御信号付加回路１０１、フレーム構成回路１０２、エネルギー拡散回路１０３、インタリーバ１０４、内符号誤り制御信号付加回路１０５と、ＴＭＣＣ信号を符号化するための、ＴＭＣＣ信号生成回路１０６、外符号誤り制御信号付加回路１０７、エネルギー拡散回路１０８、内符号誤り制御信号付加回路１０９と、さらに、変調回路１１０と、を含む構成である。
【００１３】
なお、図６において、入力信号ＴＳは、ディジタル・データの例として、動画像圧縮方式の一つであるＭＰＥＧ２（Ｍｏｔｉｏｎ  Ｐｉｃｔｕｒｅ  Ｅｘｐｅｒｔ  Ｇｒｏｕｐ  ２）により圧縮されたディジタル・データ列（トランスポート・ストリーム）を示している。この場合、送信装置における多重化とは、例えば、入力信号ＴＳ１〜ＴＳ８の８つの異なる情報内容（放送局が提供する番組等）を示す入力信号を伝送するのに、これら入力信号ＴＳ１〜ＴＳ８が連なって構成されるデータ・ストリームを、１つの搬送波を用いて伝送することを意味する。
【００１４】
まず、ＴＭＣＣ信号生成回路１０６において、入力信号ＴＳの伝送情報となるＴＭＣＣ信号が生成される。入力信号ＴＳの伝送情報とは、１つの搬送波上に多重化される入力信号ＴＳの各々の位置（タイミング）および伝送方式（冗長度等を含む）を示す。
【００１５】
入力信号ＴＳは、まず、外符号誤り制御信号付加回路１０１に入力される。外符号誤り制御信号付加回路１０１は、ＴＭＣＣ信号生成回路１０６から出力されるＴＭＣＣ信号の示す伝送情報に基づいて、受信装置でのバイト単位の誤り訂正を可能にする冗長信号（外符号誤り制御信号）を各入力信号ＴＳに付加し、この付加された信号（入力信号ＴＳ’と称する）を出力する回路である。すなわち、外符号誤り制御信号付加回路１０１は、入力信号ＴＳに冗長性の付加をおこなう回路であり、その符号化の際には、例えばリード・ソロモン符号が用いられる。
【００１６】
外符号誤り制御信号付加回路１０１から出力された入力信号ＴＳ’は、フレーム構成回路１０２に入力される。フレーム構成回路１０２は、ＴＭＣＣ信号生成回路１０６から出力されるＴＭＣＣ信号の示す伝送情報に基づいて、各入力信号ＴＳ’を多重化し、多重化されたひとまとまりのデータ単位となるフレームを構成する回路である。
【００１７】
フレーム構成回路１０２からフレーム単位に出力される信号は、エネルギー拡散回路１０３に入力される。エネルギー拡散回路１０３は、入力されたフレームにおいて、このフレームを構成するディジタル・データ、すなわちビット列が長期間の連続したビット「０」またはビット「１」の羅列として伝送されないように、このディジタル・データに対して擬似ランダム信号（エネルギー拡散信号）を付加する（スクランブルする）回路である。
【００１８】
これは、受信側において、長期間の連続した同一ビットの受信により、ディジタル信号の異常検出またはディジタル信号の未検出といった受信の誤認を防止することを目的としている。なお、受信側において、上述した擬似ランダム信号を除去する必要があるため、エネルギー拡散回路１０３においても、ランダム初期値等の擬似ランダム信号の発生条件を示す情報が、ディジタル・データのどの位置に示されるのかを、ＴＭＣＣ信号生成回路１０６から出力されるＴＭＣＣ信号の示す伝送情報を参照して決定する。
【００１９】
エネルギー拡散回路１０３においてスクランブルされた信号は、インタリーバ１０４に入力される。インタリーバ１０４は、時間的に集中して現れるバースト誤り（長時間連続誤り）の耐性を向上させるために、入力された信号の示すディジタル・データをバイト単位で並べ替える回路である。
【００２０】
これにより、並べ替えられたディジタル信号に対してバースト誤りが生じた場合であっても、受信側において、ディジタル信号の並べ替えを復元する処理（後述するデインタリーバによる処理）が施されるため、集中して現れた誤りを分散させることができ、誤り訂正の向上や伝送された情報の認識率を高めることが可能となる。なお、上述した並べ替えの情報も、ＴＭＣＣ信号生成回路１０６から出力されるＴＭＣＣ信号の示す伝送情報により得ることができる。
【００２１】
インタリーバ１０４において並べ替えられた信号は、内符号誤り制御信号付加回路１０５に入力される。内符号誤り制御信号付加回路１０５は、ＴＭＣＣ信号生成回路１０６から出力されるＴＭＣＣ信号の示す伝送情報に基づいて、伝送路や受信装置内部で発生する熱雑音等の不規則なビット単位の誤りであるランダム誤りの訂正を可能にする冗長信号（内符号誤り制御信号）を入力された信号に付加する回路である。すなわち、内符号誤り制御信号付加回路１０５は、入力された信号に冗長性の付加をおこなう回路であり、例えば畳み込み符号が用いられる。
【００２２】
図７は、内符号誤り制御信号付加回路１０５において、畳み込み符号の付加をおこなう内部回路の概略構成を示すブロック図である。図７に示す内部回路は、６つのＤラッチ１２１〜１２６からなるシフトレジスタと、２つのＥＸＯＲ回路１２７および１２８と、１つのパンクチャ回路１２９と、から構成され、１ビットの入力データに対して２ビットのデータを出力する符号化をおこなう。（元の情報量）／（符号化された後の情報量）を符号化率と呼び、この内部回路では符号化率１／２と表される。
【００２３】
図７に示す内部回路においては、最初の６ビットのシリアルな入力データを、入力された順にそれぞれＤラッチ１２１〜１２６に保持する。すなわち、Ｄラッチ１２１〜１２６に保持された６つの入力データと、さらに入力される１ビットの入力データとにより、７ビット分連続して入力されるシリアルデータを７ビットのパラレルデータに変換する。そして、新たに入力された入力データと、Ｄラッチ１２２、Ｄラッチ１２３、Ｄラッチ１２５およびＤラッチ１２６に保持されたデータとは、ＥＸＯＲ回路１２７に入力され、排他的論理和の演算がおこなわれる。また、新たに入力された入力データと、Ｄラッチ１２１、Ｄラッチ１２２、Ｄラッチ１２３およびＤラッチ１２６に保持されたデータとは、ＥＸＯＲ回路１２８に入力され、排他的論理和の演算がおこなわれる。
【００２４】
例えば、上述したシフトレジスタに、「１１０１１０」の順に入力された入力信号につづいて「１」の入力データが入力された場合、ＥＸＯＲ回路１２７においては「１」を示すデータが出力され、ＥＸＯＲ回路１２８においては「０」を示すデータが出力され、これら出力されたデータは、パンクチャ回路１２９を介して、２ビットのデータ「１０」を出力する。
【００２５】
ここで、この内部回路に、３ビットの連続して入力された入力データに対して、結果的に６ビットの出力データを得ることができるが、伝送効率を向上させるために、この６ビットの出力データのうち２ビットを間引いた４ビットのみを送信データとして出力する場合がある。この場合、符号化率は３／４と表すことができ、符号化率が１／２の場合と比較して、冗長度が小さくなるとともに伝送効率を高めることができるが、同時に誤り訂正能力も小さくなる。よって、データを間引く度合いを変えることにより冗長度を制御することが可能となり、このようなデータの間引き処理はパンクチャリングと呼ばれ、パンクチャ回路１２９は、このパンクチャリングをおこなう回路である。
【００２６】
ＴＭＣＣ信号生成回路１０６から出力されたＴＭＣＣ信号もまた、入力信号ＴＳのようなデータ・ストリームと多重化されて伝送される必要があるため、上述したような誤り訂正を可能とする処理が施される。図６において、ＴＭＣＣ信号生成回路１０６から出力されたＴＭＣＣ信号は、外符号誤り制御信号付加回路１０１、フレーム構成回路１０２、エネルギー拡散回路１０３、インタリーバ１０４および内符号誤り制御信号付加回路１０５に入力されるとともに、外符号誤り制御信号付加回路１０７に入力される。
【００２７】
外符号誤り制御信号付加回路１０７は、外符号誤り制御信号付加回路１０１と同じく、入力されたＴＭＣＣ信号に対して、バイト単位の誤り訂正のための冗長信号を付加した信号を出力する回路である。外符号誤り制御信号付加回路１０７から出力された信号は、エネルギー拡散回路１０８に入力されて、エネルギー拡散回路１０３と同様にスクランブル処理が施される。
【００２８】
エネルギー拡散回路１０８においてスクランブルされた信号は、内符号誤り制御信号付加回路１０９に入力される。内符号誤り制御信号付加回路１０９は、内符号誤り制御信号付加回路１０５と同じく、入力された信号に対して、ビット単位の誤り訂正のための冗長信号を付加した信号を出力する回路である。
【００２９】
内符号誤り制御信号付加回路１０５から出力される信号、すなわち多重化されかつ冗長性を付加したデータ・ストリームと、内符号誤り制御信号付加回路１０９から出力される信号、すなわち冗長性を付加したＴＭＣＣ信号とは、変調回路１１０に入力され、上述したフレームにさらにＴＭＣＣ信号を多重化した信号を新たなフレームとして構成されるとともに、ディジタル変調が施される。
【００３０】
変調回路１１０において施されるディジタル変調として、振幅変調（ＡＳＫ）、周波数変調（ＦＳＫ）および位相変調（ＰＳＫ）等が可能であるが、ここではディジタル位相変調を例に挙げて説明する。
【００３１】
ディジタル位相変調とは、ディジタル・データの「０」または「１」からなるビット構成を位相に対応させ、搬送波に対してこの位相を切り換えることで情報を伝送する方式である。ディジタル位相変調方式は、さらに、位相の対応のさせ方により、ＢＰＳＫ、ＱＰＳＫ（または４ＰＳＫ）、８ＰＳＫ等の３方式に分類される。
【００３２】
図８は、ディジタル位相変調方式の説明図である。ＢＰＳＫは、図８に示すように、１ビットのディジタル・データに対して、例えば「０」を位相差０度に対応させ、「１」を位相差１８０度に対応させた方式である。ＱＰＳＫは、２ビットのディジタル・データに対して、例えば「００」、「０１」、「１１」、「１０」を、それぞれ位相差４５度、位相差１３５度、位相差２２５度、位相差３１５度に対応させた方式である。
【００３３】
また、８ＰＳＫは、３ビットのディジタル・データに対して、例えば「０００」、「００１」、「０１１」、「０１０」、「１００」、「１０１」、「１１１」、「１１０」を、それぞれ位相差０度、位相差４５度、位相差９０度、位相１３５度、位相差１８０度、位相差２２５度、位相差２７０度、位相差３１５度に対応させた方式である。
【００３４】
すなわち、搬送波の１つの位相状態（伝送シンボル）を調べることにより、ＢＰＳＫでは１ビット、ＱＰＳＫでは２ビット、８ＰＳＫでは３ビットの情報を伝送することができる。しかし、伝送効率が大きくなるほど隣り合う伝送シンボルが接近するので、位相間の明確な区別が困難となり、情報の誤りを生じやすくなるという欠点を有するので、これら３方式による位相変調は、伝送する情報の性質によって適宜選択される。
【００３５】
このように、ディジタル位相変調においては、これら異なる方式が混在して多重化される場合があり、変調回路１１０は、上述した３方式のいずれかによる位相変調を個々のデータ・ストリームに対しておこなう。
【００３６】
図９は、以上に説明した送信装置から伝送されるディジタル信号の構成の一例を示す説明図である。特に、図９は、ディジタル衛星放送におけるディジタル信号の例を示す。この例では、データ・ストリームとして、符号化率３／４のＱＰＳＫ変調ストリーム、符号化率１／２のＱＰＳＫ変調ストリームおよび符号化率１／２のＢＰＳＫ変調ストリームが多重化されている。上述した入力信号ＴＳにおいては、ＴＳ１、ＴＳ２、ＴＳ３がそれぞれのデータ・ストリームに相当する。
【００３７】
図９において、各行は、フレームと呼ばれ、特に８フレームで１まとまりの情報として処理される。この８フレームを特にスーパー・フレームと呼び、これらフレームおよびスーパー・フレームが、上述したフレーム構成回路１０２において構成される。また、各フレームの先頭には、同期語１が配置され、これにつづいて、最初６フレームまではＴＭＣＣ信号（ＴＭＣＣ１〜ＴＭＣＣ６）が配置され、残り２フレームにおいては、それぞれパリティ信号（Ｐａｒｉｔｙ１、Ｐａｒｉｔｙ２）が配置されている。
【００３８】
そして、先頭のフレームのＴＭＣＣ信号（ＴＭＣＣ１）につづいては、同期語２が配置され、多重化されたデータ・ストリームがこれに後続している。先頭のフレームを除くフレームにおいては、ＴＭＣＣ信号またはパリティ信号につづいて同期語３が配置され、多重化されたデータ・ストリームがこれに後続している。
【００３９】
同期語１は、各フレームの先頭を定義する信号であり、フレームの先頭を示す特殊なビット・パターンが与えられる。これにつづくＴＭＣＣ信号は、多重化されたデータ・ストリームの各々の伝送方式（冗長度情報を含む）および多重化された位置（構成配置）の情報を含んでいる。また、パリティ信号は、スーパー・フレームに対して付加される冗長性を示し、上述した外符号誤り制御信号回路１０１において付加されるリード・ソロモン符号の冗長信号である。
【００４０】
同期語２は、スーパー・フレームにおいて先頭のフレームを示し、かつＴＭＣＣ信号とデータ・ストリームとの境界を定義する信号であり、特に同期語３と区別される特殊なビット・パターンが与えられる。また、同期語３は、ＴＭＣＣ信号またはパリティ信号とデータ・ストリームとの境界を定義する信号であり、特に同期語２と区別される特殊なビット・パターンが与えられる。
【００４１】
実際には、図６に示すＴＭＣＣ信号生成回路１０６によって、１つのスーパーフレームに対して生成されるＴＭＣＣ１〜６という一連のＴＭＣＣ信号が生成される。そして、このＴＭＣＣ信号が、図６に示す外符号誤り制御信号付加回路１０７により、ＴＭＣＣ１〜６＋ｐａｒｉｔｙ１〜２というデータ列として出力される。
【００４２】
一方、各入力信号ＴＳ（ＴＳ１、ＴＳ２、ＴＳ３）に対しては、図６の外符号誤り制御信号付加回路１０１によって、ＴＳ＋パリティとして出力され、これが、図９に示すＱＰＳＫ（３／４）、ＱＰＳＫ（１／２）、ＢＰＳＫ（１／２）にそれぞれ相当する。すなわち、ＱＰＳＫ（３／４）、ＱＰＳＫ（１／２）、ＢＰＳＫ（１／２）にはＴＳの外符号パリティが含まれている。
【００４３】
図１０は、従来の受信装置の概略構成を示すブロック図である。図６は、特に図６の送信装置に対応したディジタル衛星放送の受信装置の一例を示している。図１０において、受信装置は、位相復調回路からなる位相復調装置１３０と、伝送符号復号装置１４０とから構成される。
【００４４】
伝送符号復号装置１４０は、ビタビ復号回路１３１および同期検出回路１３２と、ＴＭＣＣ信号を復号するための、エネルギー拡散信号除去回路１３３、外符号誤り訂正回路１３４、ＴＭＣＣレジスタと、データ・ストリームを復号するための、デインタリーバ１３６、エネルギー拡散信号除去回路１３７、外符号誤り訂正回路１３８、ＴＳ選択回路１３９とを含む構成である。
【００４５】
送信装置から送信されたディジタル信号は、受信装置において受信され、まず、位相復調装置１３０によって復調処理が施される。位相復調装置１３０は、受信したディジタル信号から、送信装置の変調回路１１０において変調処理の施される前の状態のディジタル・データを抽出する回路であり、この例においては、ディジタル位相変調された搬送波に対してディジタル位相復調がおこなわれる。
【００４６】
位相復調装置１３０によって復調された信号は、伝送符号復号装置１４０のビタビ復号回路１３１に入力される。ビタビ復号回路１３１は、送信装置の内符号誤り制御信号付加回路１０５および内符号誤り制御信号付加回路１０９において冗長信号の付加により符号化された信号を復号する回路であり、特に畳み込み符号に対する復号をおこなう。
【００４７】
ビタビ復号回路１３１による復号処理は、受信されたディジタル信号に含まれるＴＭＣＣ信号およびデータ・ストリームにともに共通する処理であるが、これ以降の処理の流れは、ＴＭＣＣ信号とデータ・ストリームとにおいて異なるため、ディジタル信号からＴＭＣＣ信号とデータ・ストリームを認識して抽出する処理が必要となる。特にデータ・ストリームにおいては、複数のデータ・ストリームが多重化された結果として伝送されるため、この多重化されたデータ・ストリームから個々のデータ・ストリームを抽出するには、ＴＭＣＣ信号に含まれる情報を必要とする。
【００４８】
同期検出回路１３２は、ビタビ復号回路１３１において復号された信号を入力し、上述したＴＭＣＣ信号とデータ・ストリームとの識別をおこなう回路である。同期検出回路１３２において識別され、抽出されたＴＭＣＣ信号とデータ・ストリームは、それぞれ固有の処理の流れに向かうが、上述した理由により、データ・ストリームの完全な復号に先だって、ＴＭＣＣ信号の完全な復号をおこなう必要がある。同期検出回路１３２によるＴＭＣＣ信号の抽出は、図９に示すスーパー・フレームにおいて、同期語１と同期語２または同期語３の検出によっておこなわれる。
【００４９】
同期検出回路１３２から出力されるＴＭＣＣ信号は、エネルギー拡散信号除去回路１３３に入力される。エネルギー拡散信号除去回路１３３は、データ送信回路のエネルギー拡散回路１０８において、ＴＭＣＣ信号に対して付加された擬似ランダム信号を除去する回路である。
【００５０】
エネルギー拡散信号除去回路１３３において擬似ランダム信号が除去されたＴＭＣＣ信号は、つづいて、外符号誤り訂正回路１３４に入力される。外符号誤り訂正回路１３４は、データ送信回路の外符号誤り制御信号付加回路１０７において符号化されたＴＭＣＣ信号を、付加された冗長性に基づいて誤り訂正をおこない、データ・ストリームの伝送情報を示す本来のＴＭＣＣ信号のみを取り出す回路である。なお、送信装置においてリード・ソロモン符号が用いられていれば、外符号誤り訂正回路１３４は、リード・ソロモン復号回路が用いられる。
【００５１】
外符号誤り訂正回路１３４によって取り出されたＴＭＣＣ信号は、ＴＭＣＣレジスタ１３５に記憶され、このＴＭＣＣレジスタ１３５に記憶されたＴＭＣＣ信号が、同期検出回路１３２において抽出されたデータ・ストリームの復号に用いられる。なお、ＴＭＣＣ信号の復号において必要となる冗長度や擬似ランダム初期値等の伝送情報は、受信装置においてあらかじめ取得されている。
【００５２】
同期検出回路１３２において抽出されたデータ・ストリームは、デインタリーバ１３６に入力される。デインタリーバ１３６は、ＴＭＣＣレジスタ１３５に記憶されたＴＭＣＣ信号に基づいて、送信装置のインタリーバ１０４によりおこなわれた並べ替えを復元し、データ・ストリームを元の順序に戻す回路である。
【００５３】
デインタリーバ１３６において復元されたデータ・ストリームは、つづいて、エネルギー拡散信号除去回路１３７に入力される。エネルギー拡散信号除去回路１３７は、エネルギー拡散信号除去回路１３３と同様に、データ送信回路のエネルギー拡散回路１０３において、データ・ストリームに対して付加された擬似ランダム信号を除去する回路である。
【００５４】
エネルギー拡散信号除去回路１３７において擬似ランダム信号が除去されたデータ・ストリームは、つづいて、外符号誤り訂正回路１３８に入力される。外符号誤り訂正回路１３８は、外符号誤り訂正回路１３４と同様に、ＴＭＣＣレジスタ１３５に記憶されたＴＭＣＣ信号に基づいて、データ送信回路の外符号誤り制御信号付加回路１０１において符号化されたデータ・ストリームの誤り訂正をおこなう回路である。
【００５５】
外符号誤り訂正回路１３８において誤り訂正を施されたデータ・ストリームは、ＴＳ選択回路１３９に入力される。ＴＳ選択回路１３９は、ＴＭＣＣレジスタ１３５に記憶されたＴＭＣＣ信号に基づいて、多重化されているデータ・ストリームから個々のデータ・ストリームを抽出し、所望のデータ・ストリーム、すなわち送信装置において入力された入力信号ＴＳのいずれかを選択する回路である。
【００５６】
ＴＳ選択回路１３９において選択されて出力されるＴＳ信号は、後段のＭＰＥＧ復号回路（図示せず）に入力され、表示装置への動画像表示を可能にする。
【００５７】
【発明が解決しようとする課題】
以上に説明した受信処理において、多重化されたデータ・ストリームの復号にＴＭＣＣ信号の存在が必須となるが、受信したディジタル信号に含まれるＴＭＣＣ信号が、ＴＭＣＣレジスタ１３５にすでに記憶されたＴＭＣＣ信号と何ら変わらないにもかかわらず、すなわちＴＭＣＣ信号が更新されていないにもかかわらず、ＴＭＣＣレジスタ１３５へのＴＭＣＣ信号の書き込みをおこなっていては消費電力の増大を招くという問題点があった。
【００５８】
そこで、このような無駄な書き込み処理を回避すべく、新たに受信したＴＭＣＣ信号と、ＴＭＣＣレジスタ１３５にすでに記憶されたＴＭＣＣ信号とを、すべてのビットにわたって比較し、ＴＭＣＣ信号の更新状態を判断する方法が考えられる。図１１は、すべてのＴＭＣＣ信号を比較する従来のＴＭＣＣ取得回路の概略構成を示すブロック図である。なお、このＴＭＣＣ取得回路は、上述した受信装置のＴＭＣＣレジスタ１３５に置換される回路である。
【００５９】
図１１において、例えば、データ・ストリームの伝送情報を示すＴＭＣＣ信号が３７９ビットで構成されているとすると、新たに受信され、ＴＭＣＣ取得回路に入力された３７９ビットのＴＭＣＣ信号は、一旦バッファ１４１に入力される。そして、このバッファ１４１から出力されるＴＭＣＣ信号と、すでにレジスタ１４２に記憶されているＴＭＣＣ信号と、が比較回路１４３に入力される。
【００６０】
比較回路１４３は、入力された２つのＴＭＣＣ信号を３７９ビットすべてにわたって比較し、これら２つのＴＭＣＣ信号が不一致を示す場合は、書き込み指示となる信号を出力する。レジスタ１４２は、比較回路１４３から書き込み指示を示す信号を受信することにより、バッファ１４１に保持されたＴＭＣＣ信号をレジスタ１４２に書き込む。これにより、ＴＭＣＣ信号の更新処理が達成され、このＴＭＣＣ信号に基づいて、データ・ストリームの復号がおこなわれる。
【００６１】
しかしながら、通常、３７９ビットの多数ビットにより構成されるＴＭＣＣ信号をすべて比較するには、膨大な規模の比較回路１４３を必要とし、受信装置全体の小型化が図れないとともに、このような比較回路１４３を動作させるためには消費電力が増大してしまうという問題があった。
【００６２】
この問題を解決するために、ＴＭＣＣ信号の更新指示情報を、ＴＭＣＣ信号に付加し、この更新指示情報のみを比較することによって、上述した比較回路１４３の負荷を低減させる方法が考えられる。図１２は、更新指示情報を比較する従来のＴＭＣＣ取得回路の概略構成を示すブロック図である。ここで、例えば、更新指示情報を５ビットで表される数値情報とし、この更新指示情報を３７９ビットのＴＭＣＣ信号の先頭位置に付加して送信装置から伝送されるものとする。
【００６３】
図１２において、ＴＭＣＣ信号３７９ビットに更新指示情報５ビットを付加した３７９＋５ビットのＴＭＣＣ信号のうち、更新指示情報に相当する先頭５ビットが更新指示情報保持領域１５３に保持され、ＴＭＣＣ信号である３７９ビットがバッファ１５１に保持される。そして、この更新指示情報保持領域１５３から出力される更新指示情報と、すでに更新指示情報記憶領域１５４に記憶されている更新指示情報とが比較回路１５５に入力される。
【００６４】
比較回路１５５は、入力された２つの更新指示情報を比較し、これら２つの更新指示情報が不一致を示す場合は、書き込み指示となる信号を出力する。特に、送信側においてＴＭＣＣ信号が更新された場合には、５ビットで表される更新指示情報の数値を例えば１増加させると決めておくことにより、更新の有無を判断することができる。レジスタ１５２は、比較回路１５５から書き込み指示を示す信号を受信することにより、バッファ１５１に保持されたＴＭＣＣ信号をレジスタ１５２に書き込む。これにより、ＴＭＣＣ信号の更新処理が達成され、このＴＭＣＣ信号に基づいて、データ・ストリームの復号がおこなわれる。
【００６５】
比較回路１５５において５ビットのみの比較をおこなうことで、ＴＭＣＣ信号の更新の必要性が判断でき、比較回路１５５を構成するのに必要な回路規模も大きな負荷とはならない。
【００６６】
しかしながら、一般に、受信装置の電源投入等の起動時においては、更新指示情報を記憶するレジスタは、すべて「０」等の固定値に設定される。その際、新たに受信した更新指示情報もまた、この固定値「０」と偶然一致した場合には、比較回路１５５において一致状態であると判断され、レジスタへの書き込み信号は出力されないという問題があった。
【００６７】
また、この更新指示情報を示す数値は、同一の搬送波においては連続して更新の有無を検出することができるが、例えば受信搬送波を切り換えた場合に、実際には、更新されたＴＭＣＣ信号が送信されているにもかかわらず、新たに受信した更新指示情報と切り換え前の搬送波の受信において記憶された更新指示情報とが偶然一致した場合にも、比較回路１５５から書き込み信号は出力されない。すなわち、これらの状態においては、ＴＭＣＣ信号が更新されているにもかかわらず、新たなＴＭＣＣ信号を用いたデータ・ストリームの復号がおこなわれないという問題があった。
【００６８】
この問題を解決するために、さらに、後段のＭＰＥＧ復号回路等において長時間画像信号が検出されない場合に異常検出信号を入力して、レジスタに記憶されているＴＭＣＣ信号を強制的に書き換える方法が考えられる。図１３は、異常検出信号を導入した従来のＴＭＣＣ取得回路の概略構成を示すブロック図である。なお、図１２と共通する部分には同一符号を付し、説明は省略する。
【００６９】
図１３において、比較回路１５５からの不一致信号か、または上述したＭＰＥＧ復号回路等の異常検出信号のいずれかが発生した場合に、レジスタ１５２への書き込み信号を出力するＯＲ回路１６０が備えられている。
【００７０】
しかしながら、この従来の方法にあっては、ＭＰＥＧ復号回路等における画像信号の異常検出にはある程度の時間を要し、したがってＴＭＣＣ信号の更新判断とともに正常な画像が表示されるまでに長時間要することになり、その間、正常な画像が表示されないので、放送事故等と誤認される可能性があるといった問題点があった。このように、以上に説明した従来のいずれのＴＭＣＣ取得回路（方法）においては、効率的かつ迅速なＴＭＣＣ信号の取得を達成することはできなかった。
【００７１】
本発明は、上述の問題点に鑑みてなされたものであって、簡単かつ小規模な構成により効率的かつ迅速にデータ構成制御信号としてのＴＭＣＣ信号を取得することを目的とする。
【００７２】
【課題を解決するための手段】
上述した課題を解決し、目的を達成するために、請求項１の発明にかかる受信装置にあっては、伝送方式が異なる複数のデータ・ストリームと、このデータ・ストリームの伝送方式および構成配置を示すデータ構成制御信号（ＴＭＣＣ信号）と、このＴＭＣＣ信号の更新を指示する更新指示情報と、が多重化されたディジタル信号を受信し、受信した更新指示情報に基づいてＴＭＣＣ信号を更新し、更新されたＴＭＣＣ信号を用いて、データ・ストリームの復号をおこなう受信装置において、同期検出手段（同期検出回路３３）と、復号完了信号出力手段（ＴＭＣＣ復号回路３５）と、データ構成制御信号更新手段（ＴＭＣＣ取得回路４０）と、を備えることを特徴とする。
【００７３】
ここで、同期検出手段は、受信したディジタル信号の同期を検出し、同期状態を示す同期検出信号を出力する手段であり、復号完了信号出力手段は、ＴＭＣＣ信号の復号が完了したことを示す復号完了信号を出力する手段である。また、データ構成制御信号更新手段は、同期検出手段から出力された同期検出信号を入力し、この同期検出信号が入力されてから、最初に復号完了信号出力手段から出力された復号完了信号が入力されたとき、データ・ストリームの復号に用いるＴＭＣＣ信号を、新たに受信したＴＭＣＣ信号に更新する手段である。
【００７４】
この請求項１の発明によれば、同期検出手段により出力された、ディジタル信号の同期の検出を示す同期検出信号の入力があってから、最初に復号完了信号出力手段により出力された復号完了信号が入力されたときに、データ構成制御信号更新手段によってＴＭＣＣ信号が更新されるので、例えば、受信装置の電源投入等の起動時または搬送波変更等による再同期時において、最初にＴＭＣＣ信号の復号が完了した際に、同時にＴＭＣＣ信号の更新をおこなうことができ、常に最新のＴＭＣＣ信号の取得が迅速にかつ小規模な回路構成によって可能となる。
【００７５】
また、請求項２の発明にかかる受信装置にあっては、請求項１の発明において、データ構成制御信号更新手段（ＴＭＣＣ取得回路４０）が、パルス出力手段（立ち上がり検出回路２０）と、同期状態保持手段（ＲＳ−ＦＦ２２）と、を備え、同期検出手段（同期検出回路３３）から出力された同期検出信号を入力した状態で、同期状態保持手段により同期状態が保持されかつ復号完了信号出力手段から出力された復号完了信号が入力されたときに、ＴＭＣＣ信号の更新をおこなうことを特徴とする。
【００７６】
ここで、パルス出力手段は、同期検出手段から出力された同期検出信号が入力されることで同期検出パルスを出力する手段であり、同期状態保持手段は、パルス出力手段から出力された同期検出パルスが入力されることで同期状態を保持し、復号完了信号出力手段から出力された復号完了信号が入力されることで同期状態を解除する手段である。
【００７７】
この請求項２の発明によれば、パルス出力手段と同期状態保持手段とを備え、同期検出信号が入力されている状態において、同期状態が保持され、かつ、復号完了信号が入力されたときに、データ・ストリームの復号に用いるＴＭＣＣ信号を、新たに受信したＴＭＣＣ信号に更新するので、例えば、受信装置の電源投入等の起動時または搬送波変更等による再同期時において、最初にＴＭＣＣ信号の復号が完了した際に、ＴＭＣＣ信号の更新をおこなうことができ、常に最新のＴＭＣＣ信号の取得が迅速にかつより小規模な回路構成によって可能となる。
【００７８】
また、請求項３の発明にかかる受信装置にあっては、伝送方式が異なる複数のデータ・ストリームと、このデータ・ストリームの伝送方式および構成配置を示すデータ構成制御信号（ＴＭＣＣ信号）と、このＴＭＣＣ信号の更新を指示する更新指示情報と、が多重化されたディジタル信号を受信し、受信した更新指示情報に基づいてＴＭＣＣ信号を更新し、更新されたＴＭＣＣ信号を用いて、データ・ストリームの復号をおこなう受信装置において、同期検出手段（同期検出回路３３）と、復号完了信号出力手段（ＴＭＣＣ復号回路３５）と、更新指示情報記憶手段（図１の更新指示情報記憶領域１６）と、不一致検出手段（比較回路１８）と、データ構成制御信号更新手段（ＴＭＣＣ取得回路４０）と、を備えることを特徴とする。
【００７９】
ここで、同期検出手段は、受信したディジタル信号の同期を検出し、同期状態を示す同期検出信号を出力する手段であり、更新指示情報記憶手段は、更新指示情報を記憶する手段である。また、復号完了信号出力手段は、ＴＭＣＣ信号を復号して復号完了信号を出力する手段であり、不一致検出手段は、更新指示情報記憶手段に記憶されている更新指示情報と新たに受信された更新指示情報との不一致を検出し、不一致状態を示す不一致検出信号を出力する手段である。そして、データ構成制御信号更新手段は、同期検出手段から出力された同期検出信号が入力されている状態において、不一致検出手段から出力された不一致検出信号が入力され、かつ、復号完了信号出力手段から出力された復号完了信号が入力されたときに、データ・ストリームの復号に用いるＴＭＣＣ信号を、新たに受信したＴＭＣＣ信号に更新する手段である。
【００８０】
この請求項３の発明によれば、同期検出信号が同期状態を示している状態において、すでに記憶されている更新指示情報と新たに受信して復号された更新指示情報とを比較して出力される比較信号が不一致状態を示し、かつ、復号完了信号がＴＭＣＣ信号の復号の完了を示した際に、データ・ストリームの復号に用いられるＴＭＣＣ信号を新たなＴＭＣＣ信号に変更するデータ構成制御信号更新手段を備えているので、ディジタル信号の同期が検出されてからＴＭＣＣ信号の更新が一度だけおこなわれた後は、新たに受信した更新指示情報とすでに記憶されている更新指示情報とが異なる場合のみに、ＴＭＣＣ信号の更新がおこなわれ、常に最新のＴＭＣＣ信号の取得が効率的でかつ迅速に可能となる。
【００８１】
また、請求項４の発明にかかる受信装置にあっては、請求項１〜３の発明において、同期検出手段（同期検出回路３３）が、受信したデータ・ストリームとＴＭＣＣ信号とを識別した状態を示す識別状態信号を、同期検出信号として出力することを特徴とする。
【００８２】
この請求項４の発明によれば、データ構成制御信号更新手段（ＴＭＣＣ取得回路４０）に入力される同期検出信号として、データ・ストリームとＴＭＣＣ信号との識別が完了した状態を示す識別状態信号を用いるので、新たに同期検出信号を出力する回路を付加せずに、受信装置に従来備わっている回路を利用することができ、装置構成の複雑化を回避し、より小規模な構成により、常に最新のＴＭＣＣ信号の取得が可能となる。
【００８３】
また、請求項５の発明にかかる受信装置にあっては、請求項１〜３の発明において、同期検出手段（同期検出回路３３）が、ディジタル変調されたディジタル信号の復調が完了した状態を示す復調状態信号を、同期検出信号として出力することを特徴とする。
【００８４】
この請求項５の発明によれば、データ構成制御信号更新手段（ＴＭＣＣ取得回路４０）に入力される同期検出信号として、ディジタル復調回路（ディジタル復調回路５０）から出力された、ディジタル信号の復調が完了した状態を示す信号を用いるので、新たに同期検出信号を出力する回路を付加せずに、受信装置に従来備わっている回路を利用することができ、装置構成の複雑化を回避し、より小規模な構成により、常に最新のＴＭＣＣ信号の取得が可能となる。
【００８５】
また、請求項６の発明にかかる受信装置にあっては、請求項１〜３の発明において、同期検出手段（同期検出回路３３）が、ディジタル位相変調された前記ディジタル信号が位相復調された状態を示す位相復調状態信号を、同期検出信号として出力することを特徴とする。
【００８６】
この請求項６の発明によれば、データ構成制御信号更新手段（ＴＭＣＣ取得回路４０）に入力される同期検出信号として、ディジタル位相復調回路（位相復調回路３１）から出力された、ディジタル信号の位相復調された状態を示す信号を用いるので、新たに同期検出信号を出力する回路を付加せずに、受信装置に従来備わっている回路を利用することができ、装置構成の複雑化を回避し、より小規模な構成により、常に最新のＴＭＣＣ信号の取得が可能となる。
【００８７】
また、請求項７の発明にかかる受信装置にあっては、請求項１〜３の発明において、同期検出手段（同期検出回路３３）が、さらに、データ・ストリームとＴＭＣＣ信号との識別が完了した状態を示す識別状態信号と、ディジタル変調されたディジタル信号の復調が完了した状態を示す復調状態信号とのいずれか一方の信号を選択可能とし、選択された信号を同期検出信号として出力する選択手段（選択回路３４）を備えたことを特徴とする。
【００８８】
この請求項７の発明によれば、同期検出手段から出力される識別状態信号と、ディジタル復調手段（ディジタル復調回路５０）から出力される復調状態信号とを選択し、一方を、データ構成制御信号更新手段（ＴＭＣＣ取得回路４０）に入力される同期検出信号として出力する選択手段を備えているので、受信装置に備わる種々の同期検出を示す信号を状況に応じて使い分けることができ、ＴＭＣＣ信号の更新判断をより柔軟におこなうことができる。
【００８９】
また、請求項８の発明にかかる受信装置にあっては、請求項１〜３の発明において、同期検出手段（同期検出回路３３）が、さらに、データ・ストリームとＴＭＣＣ信号との識別が完了した状態を示す識別状態信号と、ディジタル位相変調されたディジタル信号が位相復調された状態を示す位相復調状態信号との一方の信号を選択可能とし、選択された信号を同期検出信号として出力する選択手段（選択回路３４）を備えたことを特徴とする。
【００９０】
この請求項８の発明によれば、同期検出手段から出力される識別状態信号と、ディジタル位相復調手段（位相復調回路３１）から出力される復調状態信号とを選択し、一方を、データ構成制御信号更新手段（ＴＭＣＣ取得回路４０）に入力される同期検出信号として出力する選択手段を備えているので、受信装置に備わる種々の同期検出を示す信号を状況に応じて使い分けることができ、ＴＭＣＣ信号の更新判断をより柔軟におこなうことができる。
【００９１】
また、請求項９の発明にかかる受信方法にあっては、伝送方式が異なる複数のデータ・ストリームと、このデータ・ストリームの伝送方式および構成配置を示すデータ構成制御信号（ＴＭＣＣ信号）と、このＴＭＣＣ信号の更新を指示する更新指示情報と、が多重化されたディジタル信号を受信し、受信した更新指示情報に基づいてＴＭＣＣ信号を更新し、更新されたＴＭＣＣ信号を用いて、データ・ストリームの復号をおこなう受信方法において、受信したディジタル信号の同期が検出されてから、最初にＴＭＣＣ信号の復号が完了したときに、データ・ストリームの復号に用いるＴＭＣＣ信号を、新たに受信したＴＭＣＣ信号に更新することを特徴とする。
【００９２】
この請求項９の発明によれば、ディジタル信号の同期が検出されてから、最初にＴＭＣＣ信号の復号が完了したときに、ＴＭＣＣ信号を更新するので、例えば、受信装置の電源投入等の起動時または搬送波変更等による再同期時において、最初にＴＭＣＣ信号の復号が完了した際に、ＴＭＣＣ信号の更新がおこなわれ、迅速にかつ効率的に最新のＴＭＣＣ信号の取得が可能となる。
【００９３】
また、請求項１０の発明にかかる受信方法にあっては、伝送方式が異なる複数のデータ・ストリームと、このデータ・ストリームの伝送方式および構成配置を示すデータ構成制御信号（ＴＭＣＣ信号）と、このＴＭＣＣ信号の更新を指示する更新指示情報と、が多重化されたディジタル信号を受信し、受信した更新指示情報に基づいてＴＭＣＣ信号を更新し、更新されたＴＭＣＣ信号を用いて、データ・ストリームの復号をおこなう受信方法において、更新指示情報を記憶し、ディジタル信号の同期が検出され、かつ、記憶された更新指示情報と新たに受信された更新指示情報との不一致が検出された状態において、ＴＭＣＣ信号の復号が完了したときに、データ・ストリームの復号に用いるＴＭＣＣ信号を、新たに受信したＴＭＣＣ信号に更新することを特徴とする。
【００９４】
この請求項１０の発明によれば、受信したディジタル信号の同期が検出され、かつ、すでに記憶されている更新指示情報と新たに受信して復号された更新指示情報とが不一致状態を示す状態において、受信したディジタル信号に含まれるＴＭＣＣ信号の復号が完了した際に、データ・ストリームの復号に用いられるＴＭＣＣ信号を新たなＴＭＣＣ信号に変更するので、ディジタル信号の同期が検出されてから最初のＴＭＣＣ信号の更新がおこなわれた後は、新たに受信した更新指示情報とすでに記憶されている更新指示情報とが異なる場合のみに、ＴＭＣＣ信号の更新をおこなうことができ、ＴＭＣＣ信号の取得が効率的でかつ迅速に可能となる。
【００９５】
【発明の実施の形態】
以下に添付図面を参照して、この発明にかかる受信装置および受信方法の好適な実施の形態を詳細に説明する。なお、この実施の形態によりこの発明が限定されるものではない。
【００９６】
（実施の形態１）
実施の形態１にかかる受信装置は、従来の受信装置のＴＭＣＣ取得回路（図１０のＴＭＣＣレジスタ１３５に相当）において特徴を有し、その他の回路構成は図１０に示したものと同様の構成であるので、ここではそれらの構成の説明は省略する。以下において、実施の形態１にかかる受信装置のＴＭＣＣ取得回路の構成および動作について説明する。
【００９７】
図１は、実施の形態１にかかる受信装置のＴＭＣＣ取得回路の概略構成を示すブロック図である。図１において、ＴＭＣＣ取得回路は、バッファ１１と、レジスタ１５と、比較回路１８と、立ち上がり検出回路２０と、フリップフロップ（ＲＳ−ＦＦ）２２と、３つのＡＮＤゲート２４、２６、２８と、１つのＯＲゲート２７から構成される。
【００９８】
ここで、送信されるディジタル信号に多重化されたＴＭＣＣ信号（３７９ビット）は、データ・ストリームの伝送情報を示すものであり、さらに、このＴＭＣＣ信号が更新されたものであるかを示す更新指示情報（５ビット）が付加されている。
【００９９】
バッファ１１は、新たに受信したＴＭＣＣ信号を一時的に保持し、レジスタ１５は、データ・ストリームの復号に用いるＴＭＣＣ信号を記憶する。バッファ１１には、バッファ１１に保持されるＴＭＣＣ信号とともにＴＭＣＣ信号を構成する更新指示情報を一時的に保持する更新指示情報保持領域１２が含まれている。レジスタ１５にもまた、レジスタ１５に記憶されているＴＭＣＣ信号とともにそのＴＭＣＣ信号の受信した際の更新指示情報を記憶する更新指示情報記憶領域１６が含まれている。
【０１００】
比較回路１８は、更新指示情報保持領域１２に保持された更新指示情報と更新指示情報記憶領域１６に記憶された更新指示情報とを入力し、双方の更新指示情報を比較して、比較の結果、双方の更新指示情報の内容が不一致を示す場合に、例えば“Ｈ”レベルの信号を出力する回路である。これにより新たに受信したＴＭＣＣ信号が更新されたものであると認識される。
【０１０１】
更新指示情報は、例えば５ビットからなる数値として表され、送信側においてこの数値を１増加させることによりＴＭＣＣ信号の更新を示す情報である。すなわち、５ビットの更新指示情報は、通常、「０００００」から始まり、１ずつ増加して「００００１」、「０００１０」、．．．となり、「１１１１１」となった時点で、つぎに、「０００００」に戻る。
【０１０２】
この場合、比較回路１８は、更新指示情報保持領域１２に保持された更新指示情報を示す５ビットの数値と更新指示情報記憶領域１６に記憶された更新指示情報を示す５ビットの数値とを比較し、更新指示情報保持領域１２に保持された更新指示情報を示す５ビットの数値が、更新指示情報記憶領域１６に記憶された更新指示情報を示す５ビットの数値よりも１だけあるいはそれ以上増加していることを確認することで、双方の更新指示情報が不一致であるか否かを判断する。そして、比較回路１８から出力される信号は、ＡＮＤゲート２６の一方の入力端子に入力される。
【０１０３】
立ち上がり検出回路２０は、同期検出信号を入力し、例えばこの同期検出信号のパルスの立ち上がり時に一定期間のパルスを出力する回路であり、ワンショット・マルチバイブレータ等により実現する。同期検出信号は、従来の受信装置に備わる位相復調装置１３０等の復調回路や、受信したディジタル信号からＴＭＣＣ信号とデータ・ストリームとを識別する同期検出回路１３２から出力される同期のとれた状態を示す信号である。同期検出信号の立ち上がり状態（“Ｈ”レベル状態）は、位相復調回路においては、特に位相同期がとれた状態を示し、同期検出回路においては、特にフレーム同期がとれた状態を示すものとする。
【０１０４】
この同期検出信号は、立ち上がり検出回路２０に入力されるとともに、ＡＮＤゲート２８の一方の入力端子に入力する。立ち上がり検出回路２０から出力されたパルスは、ＲＳ−ＦＦ２２のセット（Ｓ）端子に入力される。一方、ＲＳ−ＦＦ２２のリセット（Ｒ）端子には、ＴＭＣＣ復号完了信号が入力される。そして、ＲＳ−ＦＦ２２において保持された信号（Ｑ）は、フラグ信号としてＡＮＤゲート２４の一方の入力端子に入力される。
【０１０５】
ＴＭＣＣ復号完了信号は、従来の受信装置に備わるＴＭＣＣ復号回路（図１０のエネルギー拡散信号除去回路１３３、外符号誤り訂正回路１３４等からなる回路を統括した回路）において、ＴＭＣＣ信号の復号の完了状態を示す信号であり、例えば、この立ち上がり状態（“Ｈ”レベル状態）において復号完了を示す。
【０１０６】
また、ＴＭＣＣ復号完了信号は、ＲＳ−ＦＦ２２のリセット（Ｒ）端子に入力するとともに、ＡＮＤゲート２４の他方の入力端子と、ＡＮＤゲート２６の他方の入力端子との双方に入力される。
【０１０７】
ＡＮＤゲート２４の出力とＡＮＤゲート２６の出力はともにＯＲゲート２７に入力される。そして、ＯＲゲート２７の出力は、ＡＮＤゲート２８の他方の入力端子に入力される。ＡＮＤゲート２８から出力される信号は、レジスタ１５に書き込み指示信号として入力される。レジスタ１５は、この書き込み指示信号が例えば“Ｈ”レベルを示す場合に、バッファ１１に保持されたＴＭＣＣ信号を自身のレジスタ１５に書き込む。
【０１０８】
このように構成することにより、ＡＮＤゲート２８から出力される書き込み指示信号の信号レベルは、受信したディジタル信号の同期状態と、ＴＭＣＣ信号の復号の完了状態と、新たに受信した更新指示情報とすでに記憶されている更新指示情報との比較結果とにより決定される。
【０１０９】
実施の形態１にかかる受信装置においても、上述したように、３７９ビットで構成されるＴＭＣＣ信号と、このＴＭＣＣ信号の先頭に付加される５ビットの更新指示情報とを受信することを前提として説明する。
【０１１０】
つぎに、この受信装置の動作について説明する。図２は、実施の形態１にかかる受信装置の動作を説明するタイムチャートである。図２において、まず、受信装置の電源投入等の起動時または搬送波変更等による再同期時において、図１０の位相復調装置１３０や同期検出回路１３２等により同期の検出がおこなわれ、立ち上がり検出回路２０に、“Ｌ”レベルから“Ｈ”レベルに立ち上がった状態の同期検出信号が入力される（ｔ１）。
【０１１１】
立ち上がり検出回路２０は、同期検出信号の立ち上がりをトリガにして一定期間の同期立ち上がりパルスを出力する。このパルスは、ＲＳ−ＦＦ２２のセット端子に入力される。この際、受信装置において受信されたディジタル信号の同期が確立されたばかりなので、ＴＭＣＣ信号の復号は完了せず、したがってＴＭＣＣ復号完了信号は“Ｌ”レベルを示した状態でＲＳ−ＦＦ２２のリセット端子に入力されている。これらＲＳ−ＦＦ２２のセット端子の“Ｈ”レベルとリセット端子の“Ｌ”レベルにより、ＲＳ−ＦＦ２２は、セットされて“Ｈ”レベルの信号を入力する。つづいて、同期立ち上がりパルスの立ち下がりと同時に、ＲＳ−ＦＦ２２に“Ｈ”レベルの状態が保持される（ｔ２）。ＲＳ−ＦＦ２２に保持された信号は、“Ｈ”レベルのフラグ信号として出力される。
【０１１２】
この状態において、ＡＮＤゲート２４は、“Ｈ”レベルのフラグ信号と“Ｌ”レベルのＴＭＣＣ復号完了信号を入力するので、“Ｌ”レベルの信号を出力する。また、ＡＮＤゲート２６の他方の入力端子にも“Ｌ”レベルのＴＭＣＣ復号完了信号が入力されているため、ＡＮＤゲート２６は、“Ｌ”レベルの信号を出力する。よって、ＯＲゲート２７は、ともに“Ｌ”レベルの信号を入力することになり、“Ｌ”レベルの信号を出力する。ＯＲゲート２７の出力は、ＡＮＤゲート２８の他方の入力端子に接続されているため、ＡＮＤゲート２８もまた“Ｌ”レベルの信号を出力し、この信号は、“Ｌ”レベルの書き込み指示信号としてレジスタ１５に入力される。
【０１１３】
この期間に、ＴＭＣＣ信号は、上述したＴＭＣＣ復号回路によってＴＭＣＣ信号と更新指示情報とからなる３７９＋５ビットのデータに復号されていき、復号の終了した部分から徐々にバッファ１１に入力されて保持される。最終的に、３７９ビットのＴＭＣＣ信号は、バッファ１１に保持され、更新指示情報は、更新指示情報保持領域１２に保持される（ＴＭＣＣ入力における「Ｔ１」）。
【０１１４】
つづいて、ＴＭＣＣ復号回路からＴＭＣＣ復号完了信号としてパルス「Ａ」が出力される。パルス「Ａ」の立ち上がり状態、すなわち“Ｈ”レベルの状態によって、ＡＮＤゲート２４の出力が“Ｈ”レベルとなり、これに伴ってＯＲゲート２７の出力もまた“Ｈ”レベルとなる。同期検出信号は“Ｈ”レベルを示したままであるから、ＡＮＤゲート２８の出力は“Ｈ”レベルを示し、“Ｈ”レベルの書き込み指示信号（書き込み指示におけるパルス「ａ」）がレジスタ１５に入力される。
【０１１５】
レジスタ１５は、“Ｈ”レベルの書き込み指示信号を入力すると、バッファ１１に保持されているＴＭＣＣ信号を自身のレジスタ１５に書き込む。これにより、ＴＭＣＣ信号の更新が達成される。レジスタ１５に書き込まれたＴＭＣＣ信号は、有効なＴＭＣＣ信号としてデータ・ストリームの復号に用いられる。
【０１１６】
一方、同期立ち上がりパルスの立ち下がり、すなわち“Ｌ”レベルの状態と、ＴＭＣＣ復号完了信号におけるパルス「Ａ」の立ち上がり、すなわち“Ｈ”レベルの状態とによって、ＲＳ−ＦＦ２２はリセットされて“Ｌ”レベルの信号を入力する。そして、ＴＭＣＣ復号完了信号におけるパルス「Ａ」の立ち下がり、すなわち“Ｌ”レベルの状態への遷移により、ＲＳ−ＦＦ２２は、“Ｌ”レベルの状態を保持し、“Ｌ”レベルのフラグ信号を出力する（ｔ３）。
【０１１７】
よって、ＡＮＤゲート２４の出力は“Ｌ”レベルとなり、また、“Ｌ”レベルのＴＭＣＣ復号完了信号により、ＡＮＤゲート２６の出力も“Ｌ”レベルとなる。これらに伴ってＯＲゲート２７の出力もまた“Ｌ”レベルを示し、ＡＮＤゲート２８の出力、すなわち書き込み指示信号は“Ｌ”レベルに遷移する。これにより、ＴＭＣＣ復号完了信号におけるパルス「Ａ」に同期した書き込み指示信号「ａ」の発生を可能にしている。
【０１１８】
以上の動作により、受信装置の電源投入等の起動時または搬送波変更等による再同期時において、ディジタル信号の同期が検出されてから最初のＴＭＣＣ信号の復号が完了した際に、ＴＭＣＣ信号の更新が高速に達成される。
【０１１９】
つづいて、同期検出信号が“Ｈ”レベルを保持した状態、すなわち図１０の位相復調装置１３０や同期検出回路１３２等によってディジタル信号の同期がとられている状態において、新たなＴＭＣＣ信号（ＴＭＣＣ入力における「Ｔ２」）が入力された場合を考える。
【０１２０】
新たなＴＭＣＣ信号は、ＴＭＣＣ復号回路によって復号されてＴＭＣＣ信号として出力され、ＴＭＣＣ復号回路は、復号の完了を示すＴＭＣＣ復号完了信号をパルス「Ｂ」として出力する。この際、立ち上がり検出回路２０は、同期検出信号の立ち上がりにおいてワンショットのみのパルスを出力するので、ＲＳ−ＦＦ２２のセット端子には“Ｌ”レベルの信号が入力されたままであり、パルス「Ｂ」の立ち上がり状態、すなわちＲＳ−ＦＦ２２のリセット端子に“Ｈ”レベルの信号が入力されても、ＲＳ−ＦＦ２２の出力となるフラグ信号は“Ｌ”レベルを示したままである。よって、ＡＮＤゲート２４の出力は“Ｌ”レベルを示し、ＯＲゲート２７の出力は、ＡＮＤゲート２６の出力レベルに委ねられる。
【０１２１】
ＡＮＤゲート２６は、他方の入力端子として“Ｈ”レベルのＴＭＣＣ復号完了信号を入力するが、その出力レベルは、一方の入力端子に入力される信号レベル、すなわち比較回路１８の出力レベルに委ねられる。
【０１２２】
ここで、更新指示情報保持領域１２に新たに入力された更新指示情報を示す数値が、更新指示情報記憶領域１６にすでに記憶されている更新指示情報を示す数値と同一であれば、比較回路１８は、双方の更新指示情報の一致状態を示す“Ｌ”レベルの比較結果信号を出力する。この“Ｌ”レベルの比較結果信号により、ＡＮＤゲート２６の出力は、“Ｌ”レベルを示し、これに伴ってＯＲゲート２７の出力もまた“Ｌ”レベルを示す。そして、ＡＮＤゲート２８の出力もまた“Ｌ”レベルとなり、レジスタ１５によるＴＭＣＣ信号の書き込みはおこなわれない（書き込み指示における点線「ｂ」の位置に相当し、書き込み指示におけるパルスが発生しなかったことを示す）。
【０１２３】
この状態において、さらに新たなＴＭＣＣ信号（ＴＭＣＣ入力の「Ｔ３」）が入力された場合、ＴＭＣＣ復号回路は、復号の完了を示すＴＭＣＣ復号完了信号をパルス「Ｃ」として出力する。この際、ＲＳ−ＦＦ２２、ＡＮＤゲート２４およびＡＮＤゲート２６の出力レベルは、上述したパルス「Ｂ」の場合と同じであるので説明を省略する。
【０１２４】
ここで、更新指示情報保持領域１２に新たに入力された更新指示情報を示す数値が、更新指示情報記憶領域１６にすでに記憶されている更新指示情報を示す数値と不一致の場合、比較回路１８は、双方の更新指示情報の不一致状態を示す“Ｈ”レベルの比較結果信号を出力する（ｔ４）。この“Ｈ”レベルの比較結果信号により、ＡＮＤゲート２６の出力は、“Ｈ”レベルを示し、これに伴ってＯＲゲート２７の出力もまた“Ｈ”レベルを示す。そして、ＡＮＤゲート２８の出力もまた“Ｈ”レベルとなり、書き込み指示信号（パルス「ｃ」）がレジスタ１５に入力されることにより、レジスタ１５によるＴＭＣＣ信号の書き込みがおこなわれる。
【０１２５】
比較結果信号の“Ｈ”レベルの状態は、つぎの新たなＴＭＣＣ信号（ＴＭＣＣ入力における「Ｔ４」）が入力された際に、比較回路１８による更新指示情報の比較結果が一致する場合、すなわち、更新指示情報記憶領域１６に記憶された更新指示情報の数値と更新指示情報保持領域１２に保持された更新情報の数値とが同一であり、両者が一致する場合に、再び“Ｌ”レベルへと遷移する（ｔ５）。なお、ＴＭＣＣ復号完了信号におけるパルス「Ｄ」は、パルス「Ｂ」の状態と同一であるため、説明を省略する。
【０１２６】
以上の動作により、受信装置において、ディジタル信号の同期が検出されてからＴＭＣＣ信号の更新が一度だけおこなわれた後は、新たに入力された更新指示情報とすでに記憶された更新指示情報とが異なる場合のみ、ＴＭＣＣ信号の高速な更新処理がおこなわれる。
【０１２７】
図３は、実施の形態１にかかる受信装置の別の動作を説明するタイムチャートであり、特にディジタル信号の同期がとれていない場合の動作を示している。図３において、図１０の位相復調装置１３０や同期検出回路１３２等によって同期をとることができずに、同期検出信号が“Ｈ”レベルから“Ｌ”レベルに遷移すると、ＡＮＤゲート２８の出力は、“Ｌ”レベルを示す（ｔ６）。
【０１２８】
これにより、その後、比較結果が“Ｌ”レベルから“Ｈ”レベルへ推移し（ｔ７）、復号の完了を示すＴＭＣＣ復号完了信号におけるパルス「Ｇ」が出力されたとしても、レジスタ１５に対して書き込み指示信号となるパルスの出力はされず（書き込み指示における点線「ｇ」の位置に相当し、書き込み指示パルスが発生しなかったことを示す）、レジスタ１５によるＴＭＣＣ信号の書き込みはおこなわれない。
【０１２９】
なお、復号の完了を示すＴＭＣＣ復号完了信号におけるパルス「Ｅ」、書き込み指示におけるパルス「ｅ」に関しては、ＴＭＣＣ復号完了信号におけるパルス「Ｃ」、書き込み指示におけるパルス「ｃ」と、ＴＭＣＣ復号完了信号におけるパルス「Ｆ」、書き込み指示における相当する点線部分「ｆ」に関しては、「Ｂ」または「Ｄ」、「ｂ」または「ｄ」とそれぞれ同様であるので、それらの説明は省略する。
【０１３０】
このように、ディジタル信号の同期がとれていないにもかかわらず、雑音の混入等により、偶然に復号の完了を示すＴＭＣＣ復号完了信号がパルスＧとして出力され、更新指示情報保持領域１２に保持される更新指示情報が、更新指示情報記憶領域１６に記憶された数値と一致しないような数値を示した場合であっても、書き込み指示信号となるパルスが出力されることはなく、ＴＭＣＣ信号の誤った更新を防ぐことができる。
【０１３１】
以上に説明したように実施の形態１にかかる受信装置および受信方法によれば、ディジタル信号の同期状態、特に同期を示す同期検出信号の立ち上がり状態を検出して、その際、更新指示情報の内容にかかわらず必ずＴＭＣＣ信号の書き込み指示をおこなうので、電源投入時や再同期時におけるＴＭＣＣ信号の取得を確実なものにするとともに、同期のとれた状態においては、新たに受信した更新指示情報がすでに記憶された更新指示情報と異なる場合のみ、データ・ストリームの復号に用いるＴＭＣＣ信号を更新するので、適宜変更されるディジタル信号のＴＭＣＣ信号の更新を効率的にかつ確実におこなうことができる。
【０１３２】
また、ＴＭＣＣ信号の更新判断を、立ち上がり検出回路２０、ＲＳ−ＦＦ２２、論理回路および比較回路１８による小規模な回路構成により実現でき、消費電力の大幅な増大を回避することができる。
【０１３３】
（実施の形態２）
つぎに、実施の形態２にかかる受信装置および受信方法について説明する。実施の形態２にかかる受信装置および受信方法は、実施の形態１にかかるＴＭＣＣ取得回路に入力する同期検出信号を選択する選択回路を備えた点が、実施の形態１にかかる受信装置および受信方法と異なる点である。
【０１３４】
図４は、実施の形態２にかかる受信装置の概略構成を示すブロック図である。図４において、受信装置は、位相復調回路３１と、ビタビ復号回路３２と、同期検出回路３３と、選択回路３４と、ＴＭＣＣ復号回路３５と、データ・ストリーム復号回路３６と、ＴＳ選択回路３７と、ＴＭＣＣ取得回路４０と、から構成される。
【０１３５】
位相復調回路３１は、位相復調装置１３０と同様に、送信装置においてディジタル位相変調されたディジタル信号を受信して、ディジタル位相復調をおこなう回路であり、変調に使用されている搬送波およびディジタル・データのクロックを再生して、搬送波の位相を変調しているディジタル信号を検出する。また、位相復調回路３１は、受信したディジタル信号の位相同期がとれた場合、すなわち、搬送波およびクロックの再生ができている状態において、例えば“Ｈ”レベルに遷移する位相復調同期信号を出力する。この位相復調同期信号は選択回路３４に入力される。
【０１３６】
位相復調回路３１において復調された信号は、ビタビ復号回路３２に入力される。ビタビ復号回路３２は、ビタビ復号回路１３１と同様に、送信装置において、冗長信号の付加により符号化された信号を復号する回路であり、特に畳み込み符号に対する復号をおこなう回路である。
【０１３７】
ビタビ復号回路３２において復号された信号は、同期検出回路３３に入力される。同期検出回路３３は、同期検出回路１３２と同様に、ビタビ復号回路３２において復号された信号からＴＭＣＣ信号とデータ・ストリームとの識別をおこなう回路であり、フレームの境界等に挿入されている同期語を検出してＴＭＣＣ信号やその他の情報の位置を特定する。また、同期検出回路３３は、入力された信号のフレーム同期がとれた場合、すなわち、上記位置が特定できている場合に、例えば“Ｈ”レベルに遷移するフレーム同期信号を出力する。このフレーム同期信号もまた選択回路３４に入力される。
【０１３８】
同期検出回路３３において識別されて抽出されたＴＭＣＣ信号は、データ・ストリームの完全な復号に先だって、ＴＭＣＣ復号回路３５に入力され、復号処理が施される。ＴＭＣＣ復号回路３５は、図１０に示すエネルギー拡散信号除去回路１３３および外符号誤り訂正回路１３４からなるＴＭＣＣ信号を復号するための回路であり、ここではこれらの説明を省略する。また、ＴＭＣＣ復号回路３５は、復号されたＴＭＣＣ信号を出力するとともに、ＴＭＣＣ信号の復号が完了した場合に例えば“Ｈ”レベルを示すＴＭＣＣ復号完了信号を出力する。
【０１３９】
これらＴＭＣＣ信号およびＴＭＣＣ復号完了信号はともに、実施の形態１にかかるＴＭＣＣ取得回路４０に入力される。ここで、選択回路３４は、位相復調同期信号とフレーム同期信号の一方を選択して、選択した信号を同期検出信号として出力する回路である。ＴＭＣＣ取得装置４０は、この選択回路３４から同期検出信号を入力する。ＴＭＣＣ取得装置４０の動作は、実施の形態１の説明したとおりである。なお、このＴＭＣＣ信号には、上述した更新指示情報も含まれているものとする。
【０１４０】
つづいて、同期検出回路３３において識別されたデータ・ストリームがデータ・ストリーム復号回路３６に入力され、ＴＭＣＣ取得回路４０において取得されたＴＭＣＣ信号に基づく復号処理が施される。データ・ストリーム復号回路３６は、図１０に示すデインタリーバ１３６、エネルギー拡散信号除去回路１３７および外符号誤り訂正回路１３８からなるデータ・ストリームを復号するための回路であり、ここではこれらの説明を省略する。
【０１４１】
データ・ストリーム復号回路３６において復号されたデータ・ストリームは、ＴＳ選択回路３７に入力される。ＴＳ選択回路３７は、ＴＳ選択回路１３９と同様に、ＴＭＣＣ取得回路４０に記憶されたＴＭＣＣ信号に基づいて、多重化されているデータ・ストリームから個々のデータ・ストリームを抽出し、所望のデータ・ストリーム、すなわち実施の形態２にかかる受信装置では、送信装置において入力された入力信号ＴＳのいずれかを選択する回路である。ＴＳ選択回路３７において選択されて出力されるＴＳ信号は、後段のＭＰＥＧ復号回路（図示せず）に入力され、表示装置への動画像表示を可能にする。
【０１４２】
実施の形態２にかかる受信装置の実現方法としては、例えば、位相復調回路３１とそれ以外の回路は、それぞれ別個のＬＳＩで構成されてもよく、また、全回路が１つのＬＳＩで構成されていてもよい。
【０１４３】
図５は、実施の形態２にかかる受信装置の別の概略構成を示すブロック図である。図４においては、選択回路３４に対し、位相復調回路３１から出力される位相復調同期信号と、同期検出回路３３から出力されるフレーム同期信号と、を入力して選択できることとしたが、図５における受信装置は、位相復調回路３１から出力される位相復調同期信号の代わりに、ディジタル復調回路５０から出力される復調状態信号、すなわち、ディジタル信号の復調がおこなわれたことを示す復調状態信号を同期信号として、選択回路３４へ入力する点が異なる。
【０１４４】
その他の構成は図４における受信装置の構成と同一であるので、その説明は省略する。ディジタル復調回路５０としては、伝送されるディジタル信号のディジタル変調方式に合わせて振幅復調や周波数復調等、変調されたディジタル信号を復調し、復調により復調状態信号が出力されるすべてのディジタル復調回路を含むものであり、受信装置や受信装置がおこなう復調の方法により任意に定めることができる。すなわち、ディジタル復調回路５０は、位相復調回路３１による位相復調以外のディジタル復調をおこなう復調回路である。
【０１４５】
また、図５において、図示しない外部回路からの信号をビタビ復号回路３２に入力するように示しているが、図４に示す位相復調回路３１のように、ディジタル復調回路５０によって復調された信号をビタビ復号回路３２へ入力することができる。
【０１４６】
また、図４に示す位相復調回路３１や図５に示すディジタル復調回路５０のほか、ディジタル処理において出力される同期検出に相当する信号を用いて、その信号をＴＭＣＣ取得回路４０に入力する同期検出信号としてもよい。
【０１４７】
以上に説明したように実施の形態２にかかる受信装置および受信方法によれば、実施の形態１にかかる受信装置および受信方法のＴＭＣＣ取得回路４０に入力する同期検出信号の選択をおこなう選択回路３４を備えているので、受信装置に備わる種々の同期検出を示す信号を利用でき、ＴＭＣＣ信号の更新判断をより柔軟におこなうことができる。
【０１４８】
なお、実施の形態１および２にかかる受信装置は、衛星を介した無線通信だけでなく、地上波のみによる無線通信やケーブル敷設による有線通信等、種々の通信インフラストラクチャに対応できる。
【０１４９】
【発明の効果】
以上、説明したとおり、請求項１の発明によれば、同期検出手段により出力された、ディジタル信号の同期の検出を示す同期検出信号の入力があってから、最初に復号完了信号出力手段により出力された復号完了信号が入力されたときに、データ構成制御信号を更新するデータ構成制御信号更新手段を備えているので、例えば、受信装置の電源投入等の起動時または搬送波変更等による再同期時において、最初にデータ構成制御信号の復号が完了した際に、データ構成制御信号の更新がおこなわれ、迅速にかつ小規模な回路構成によってデータ構成制御信号の取得が可能な受信装置を提供することができるという効果を奏する。
【０１５０】
また、請求項２の発明によれば、パルス出力手段と同期状態保持手段とを備え、同期検出信号が入力されている状態において、同期状態が保持され、かつ、復号完了信号が入力されたとき、前記データ構成制御信号を更新するので、例えば、受信装置の電源投入等の起動時または搬送波変更等による再同期時において、最初にデータ構成制御信号の復号が完了した際に、データ構成制御信号の更新がおこなわれ、より小規模な回路構成によってデータ構成制御信号の取得が可能な受信装置を提供することができるという効果を奏する。
【０１５１】
また、請求項３の発明によれば、同期検出信号が同期状態を示している状態において、すでに記憶されている更新指示情報と新たに受信して復号された更新指示情報とを比較して出力される比較信号が不一致状態を示し、かつ、復号完了信号がデータ構成制御信号の復号の完了を示した際に、データ・ストリームの復号に用いられるデータ構成制御信号を新たなデータ構成制御信号に変更するデータ構成制御信号更新手段を備えているので、ディジタル信号の同期が検出されてからデータ構成制御信号の更新が一度だけおこなわれた後は、新たに受信した更新指示情報とすでに記憶されている更新指示情報とが異なる場合のみに、データ構成制御信号の更新がおこなわれ、効率的でかつ迅速なデータ構成制御信号の取得が可能となる受信装置を提供することができるという効果を奏する。
【０１５２】
また、請求項４の発明によれば、同期検出信号として、データ・ストリームとデータ構成制御信号とが識別された状態を示す信号を用いるので、新たに同期検出信号を出力する回路を付加せずに、受信装置に従来備わっている回路を利用することができ、装置構成の複雑化を回避し、より小規模な構成によってデータ構成制御信号の取得が可能な受信装置を提供することができるという効果を奏する。
【０１５３】
また、請求項５の発明によれば、同期検出信号として、ディジタル復調回路から出力され、ディジタル信号の復調された状態を示す信号を用いるので、新たに同期検出信号を出力する回路を付加せずに、受信装置に従来備わっている回路を利用することができ、装置構成の複雑化を回避し、より小規模な構成によってデータ構成制御信号の取得が可能な受信装置を提供することができるという効果を奏する。
【０１５４】
また、請求項６の発明によれば、同期検出信号として、ディジタル位相復調回路から出力され、ディジタル信号の位相復調された状態を示す信号を用いるので、新たに同期検出信号を出力する回路を付加せずに、受信装置に従来備わっている回路を利用することができ、装置構成の複雑化を回避し、より小規模な構成によってデータ構成制御信号の取得が可能な受信装置を提供することができるという効果を奏する。
【０１５５】
また、請求項７の発明によれば、同期検出手段から出力される識別状態信号と、ディジタル復調手段から出力される復調状態信号とを選択して一方を同期検出信号として出力する選択手段を備えているので、受信装置に備わる種々の同期検出を示す信号を状況に応じて使い分けることができ、データ構成制御信号の更新判断をより柔軟におこなうことが可能な受信装置を提供することができるという効果を奏する。
【０１５６】
また、請求項８の発明によれば、同期検出手段から出力される識別状態信号と、ディジタル位相復調手段から出力される復調状態信号とを選択して一方を同期検出信号として出力する選択手段を備えているので、受信装置に備わる種々の同期検出を示す信号を状況に応じて使い分けることができ、データ構成制御信号の更新判断をより柔軟におこなうことが可能な受信装置を提供することができるという効果を奏する。
【０１５７】
また、請求項９の発明によれば、ディジタル信号の同期の検出を示す同期検出信号の入力があってから、最初に出力された復号完了信号が入力されたときに、データ構成制御信号を更新するので、例えば、受信装置の電源投入等の起動時または搬送波変更等による再同期時において、最初にデータ構成制御信号の復号が完了した際に、データ構成制御信号の更新がおこなわれ、迅速にかつ効率的にデータ構成制御信号の取得が可能な受信方法を提供することができるという効果を奏する。
【０１５８】
また、請求項１０の発明によれば、同期検出信号が同期状態を示し、かつ、すでに記憶されている更新指示情報と新たに受信して復号された更新指示情報とが不一致状態を示す状態において、復号完了信号がデータ構成制御信号の復号の完了を示した際に、データ・ストリームの復号に用いられるデータ構成制御信号を新たなデータ構成制御信号に変更するので、ディジタル信号の同期が検出されてからデータ構成制御信号の更新が一度だけおこなわれた後は、新たに受信した更新指示情報とすでに記憶されている更新指示情報とが異なる場合のみに、データ構成制御信号の更新がおこなわれ、効率的でかつ迅速なデータ構成制御信号の取得が可能な受信方法を提供することができるという効果を奏する。
【図面の簡単な説明】
【図１】この発明の実施の形態１にかかる受信装置のＴＭＣＣ取得回路の概略構成を示すブロック図である。
【図２】実施の形態１にかかる受信装置の動作を説明するタイムチャートである。
【図３】実施の形態１にかかる受信装置の別の動作を説明するタイムチャートである。
【図４】この発明の実施の形態２にかかる受信装置の概略構成を示すブロック図である。
【図５】実施の形態２にかかる受信装置の別の概略構成を示すブロック図である。
【図６】従来の送信装置の概略構成を示すブロック図である。
【図７】内符号誤り制御信号付加回路において畳み込み符号の付加をおこなう内部回路の概略構成を示すブロック図である。
【図８】ディジタル位相変調方式の説明図である。
【図９】送信装置から伝送されるディジタル信号の構成の一例を示す説明図である。
【図１０】従来の受信装置の概略構成を示すブロック図である。
【図１１】従来のＴＭＣＣ取得回路の概略構成を示すブロック図である。
【図１２】従来のＴＭＣＣ取得回路の別の概略構成を示すブロック図である。
【図１３】従来のＴＭＣＣ取得回路のさらに別の概略構成を示すブロック図である。
【符号の説明】
１１  バッファ
１２  更新指示情報保持領域
１５  レジスタ
１６  更新指示情報記憶領域
１８  比較回路
２０  立ち上がり検出回路
２２  ＲＳ−ＦＦ
２４，２６，２８  ＡＮＤゲート
２７  ＯＲゲート
３１  位相復調回路
３２  ビタビ復号回路
３３  同期検出回路
３４  選択回路
３５  ＴＭＣＣ復号回路
３６  データ・ストリーム復号回路
３７  ＴＳ選択回路
４０  ＴＭＣＣ取得回路
５０  ディジタル復調回路
【図１】
0003918329.tif 000002
【図２】
0003918329.tif 000003
【図３】
0003918329.tif 000004
【図４】
0003918329.tif 000005
【図５】
0003918329.tif 000006
【図６】
0003918329.tif 000007
【図７】
0003918329.tif 000008
【図８】
0003918329.tif 000009
【図９】
0003918329.tif 000010
【図１０】
0003918329.tif 000011
【図１１】
0003918329.tif 000012
【図１２】
0003918329.tif 000013
【図１３】
0003918329.tif 000014